(57)【要約】      （修正有）【課題】設置工事のコストを節約できる負荷インターフェースを提供する。【解決手段】口金１１と一体の放熱体１２にダミー負荷発生回路１３を内蔵する。口金１１をソケットに装着することにより負荷インターフェース１０を白熱電球用調光器に接続でき、負荷インターフェース１０を壁や天井に取り付ける設置作業を省略できる。そのため、白熱電球をＬＥＤ電球に交換する場合の施工コストを低減できる。また、ダミー負荷発生回路１３が放熱体１２に内蔵されているので、負荷インターフェース１０が動作中に発生する熱が放熱体１２から放熱される。このため負荷インターフェース１０の耐久性が向上するとともに、負荷インターフェース１０の発火の危険を防止できる。【選択図】図１
0003215767.tif 000002
【実用新案登録請求の範囲】
【請求項１】
交流電源から電力を位相制御して光源に供給することにより光源を調光する既存の調光器に接続することで、光源に代えて光源より消費電力の少ないＬＥＤ電球を使用するとき既存の調光器が正常に動作するようにダミー負荷を発生させる負荷インターフェースであって、
光源が装着可能な口金に放熱体を一体に設け、放熱体にダミー負荷発生回路を内蔵したことを特徴とする負荷インターフェース。
【請求項２】
交流電源から電力を位相制御して光源に供給することにより光源を調光する既存の調光器に接続することで、光源に代えて光源より消費電力の少ないＬＥＤ電球を使用するとき既存の調光器が正常に動作するようにダミー負荷を発生させる負荷インターフェースであって、
引掛けシーリングローゼットのプラグに放熱体を一体に設け、放熱体にダミー負荷発生回路を内蔵したことを特徴とする負荷インターフェース。
【請求項３】
交流電源から電力を位相制御して光源に供給することにより光源を調光する既存の調光器に接続することで、光源に代えて光源より消費電力の少ないＬＥＤ電球を使用するとき既存の調光器が正常に動作するようにダミー負荷を発生させる負荷インターフェースであって、
ダクトレールプラグに放熱体を一体に設け、放熱体にダミー負荷発生回路を内蔵したことを特徴とする負荷インターフェース。
【考案の詳細な説明】
【技術分野】
【０００１】
本考案は負荷インターフェースに関し、より詳しくは、交流電源から電力を位相制御して白熱電球や、ＬＥＤ電球等の光源に供給し、光源を調光する既存の調光器に接続することで、光源に代えて光源より消費電力の少ないＬＥＤ電球を使用するとき既存の調光器が正常に動作するようにダミー負荷を発生させる負荷インターフェースに関する。
【背景技術】
【０００２】
白熱電球やＬＥＤ電球等の光源の調光には、トライアックなどの位相制御素子を用いた位相制御式の調光器が広く使用されている。
この種の調光器を備えた照明装置では、節電のためや、照明効果を高めるため、消費電力の大きい白熱電球やＬＥＤ電球をソケットから取り外し、代わりに消費電力の少ないＬＥＤ電球を装着して使用することがある。
【０００３】
調光器を備えた照明装置において、消費電力の大きい白熱電球やＬＥＤ電球等の光源に代えて消費電力の少ないＬＥＤ電球を使用する場合、既存の調光器の動作に必要な電流が流れず、とりわけＬＥＤ電球を暗くしていくと一層電流が不足することになり、その結果、調光時にＬＥＤ電球がちらつくことがある。
【０００４】
従来、このようなＬＥＤ電球の調光時のちらつきを防止するため、図７に示すように、既存の調光器１に後付で負荷インターフェース２を接続している。この負荷インターフェース２は抵抗やＦＥＴで構成したダミー負荷発生回路を備え、電流を熱に変換して既存の調光器１に所要電流が流れるようにダミー負荷を発生させている。これにより、ＬＥＤ電球３のちらつきを防止している。
【先行技術文献】
【特許文献】
【０００５】
【特許文献１】引用無し
【考案の概要】
【考案が解決しようとする課題】
【０００６】
上記した従来の負荷インターフェース２は後付で壁や天井に取り付けるため、設置工事が不可欠である。そのため、節電や照明効果を高めるために白熱電球や消費電力の大きいＬＥＤ電球の代わりに消費電力の少ないＬＥＤ電球３を使用する場合、負荷インターフェース２の施工コストがかかるという問題点があった。
本考案はかかる問題点に鑑み、設置工事のコストを節約できる負荷インターフェースを提供することを目的とする。
【課題を解決するための手段】
【０００７】
請求項１に記載の考案は、交流電源から電力を位相制御して光源に供給することにより光源を調光する既存の調光器に接続することで、光源に代えて光源より消費電力の少ないＬＥＤ電球を使用するとき既存の調光器が正常に動作するようにダミー負荷を発生させる負荷インターフェースであって、
光源が装着可能な口金に放熱体を一体に設け、放熱体にダミー負荷発生回路を内蔵したことを特徴とする。
【０００８】
請求項２に記載の考案は、交流電源から電力を位相制御して光源に供給することにより光源を調光する既存の調光器に接続することで、光源に代えて光源より消費電力の少ないＬＥＤ電球を使用するとき既存の調光器が正常に動作するようにダミー負荷を発生させる負荷インターフェースであって、
引掛けシーリングローゼットのプラグに放熱体を一体に設け、放熱体にダミー負荷発生回路を内蔵したことを特徴とする。
【０００９】
請求項３に記載の考案は、交流電源から電力を位相制御して光源に供給することにより光源を調光する既存の調光器に接続することで、光源に代えて光源より消費電力の少ないＬＥＤ電球を使用するとき既存の調光器が正常に動作するようにダミー負荷を発生させる負荷インターフェースであって、
ダクトレールプラグに放熱体を一体に設け、放熱体にダミー負荷発生回路を内蔵したことを特徴とする。
【考案の効果】
【００１０】
請求項１に記載の考案によれば、口金と一体の放熱体にダミー負荷発生回路を内蔵したので、口金をソケットに装着することにより負荷インターフェースを既存の調光器に接続でき、負荷インターフェースを壁や天井に取り付ける設置作業を省略できる。そのため、白熱電球や消費電力の大きいＬＥＤ電球を消費電力の少ないＬＥＤ電球に交換する場合の施工コストを低減できる。
また、ダミー負荷発生回路が放熱体に内蔵されているので、負荷インターフェースが動作中に発生する熱が放熱体から放熱される。このため負荷インターフェースの耐久性が向上するとともに、負荷インターフェースの発火の危険を防止できる。
【００１１】
請求項２に記載の考案によれば、引掛けシーリングローゼットのプラグに一体に設けた放熱体にダミー負荷発生回路を内蔵したので、プラグを天井に固設されているシーリングローゼットのボディに連結することにより、負荷インターフェースを既存の調光器に接続でき、負荷インターフェースを壁や天井に取り付ける設置作業を省略できる。
【００１２】
請求項３に記載の考案によれば、ダクトレールプラグに一体に設けた放熱体にダミー負荷発生回路を内蔵したので、ダクトレールプラグをダクトレールに連結することにより、負荷インターフェースを既存の調光器に接続でき、負荷インターフェースを壁や天井に取り付ける設置作業を省略できる。
【図面の簡単な説明】
【００１３】
【図１】本考案の第１実施例に係る負荷インターフェースを示す正面図である。
【図２】同負荷インターフェースを使用した照明装置の回路構成図である。
【図３】本考案の第２実施例に係る負荷インターフェースを示す正面図である。
【図４】同負荷インターフェースを使用した照明装置の回路構成図である。
【図５】本考案の第３実施例に係る負荷インターフェースを示す正面図である。
【図６】同負荷インターフェースを使用した照明装置の回路構成図である。
【図７】従来の負荷インターフェースを用いた照明装置の回路構成図である。
【実施例１】
【００１４】
以下に本考案の第１実施例に係る負荷インターフェース１０を図１に示す。当該負荷インターフェース１０は、白熱電球が装着されるソケットに装着可能な口金１１及び口金１１と一体の放熱体１２を備えている。放熱体１２はアルミニウム製で多数のフィン１２ａが設けられている。この放熱体１２には抵抗やＦＥＴから成るダミー負荷発生回路１３が内蔵されている。
【００１５】
第１実施例に係る負荷インターフェース１０の構造は以上の通りで、図２に基づいてその使用方法を説明する。図２には複数個のソケット１４と、白熱電球用調光装置１を備えた照明装置の回路構成が示されている。各ソケット１４に白熱電球が装着されている場合、商用交流電源４から供給される電力は白熱電球用調光器１で位相制御することにより調光され、白熱電球の明るさが明暗される。節電や照明効果を高めるために白熱電球に代えてＬＥＤ電球３を各ソケット１４に装着する場合、白熱電球が装着されていたソケット１４の一つに負荷インターフェース１０の口金１１をねじ込んで装着する。これにより、負荷インターフェース１０が白熱電球用調光器１に接続され、ダミー負荷発生回路１３でダミー負荷が生じるので、調光時にＬＥＤ電球３にちらつきが発生するのを防止できる。
【００１６】
本実施例によれば、負荷インターフェース１０を壁や天井に取り付ける設置作業を省略できる。そのため、白熱電球をＬＥＤ電球３に交換する場合の施工コストを低減できる。
また、ダミー負荷発生回路１３が放熱体１２に内蔵されているので、負荷インターフェース１０が動作中に発生する熱を放熱体１２から放熱できる。このため負荷インターフェース１０の耐久性が向上するとともに、負荷インターフェース１０の発火の危険を防止できる。
【実施例２】
【００１７】
以下に本考案の第２実施例に係る負荷インターフェース２０を図３に示す。当該負荷インターフェース２０は、引掛けシーリングローゼットのプラグ２１と、このプラグ２１と一体に設けた球状の放熱体２２を備え、放熱体２２にダミー負荷発生回路２３が内蔵されている。プラグ２１からはコード２４で複数個のソケット２５が吊り下げられ、各ソケット２５にＬＥＤ電球３が装着されている。コード２４の中間部は複数個のゴムリング２６で束ねられ、コード２４で吊り下げたＬＥＤ電球３の吊り下げ位置を調整できる。
【００１８】
第２実施例に係る負荷インターフェース２０の構造は以上の通りで、図４に示すように、引掛けシーリングローゼットのプラグ２１を天井に固設されている引掛けシーリングローゼットのボディ２７に掛止してＬＥＤ電球３を天井から吊り下げる。これにより、負荷インターフェース２０が白熱電球用調光器１に接続され、ダミー負荷発生回路２３でダミー負荷が生じるので、調光時にＬＥＤ電球３にちらつきが発生するのを防止できる。
【実施例３】
【００１９】
以下に本考案の第３実施例に係る負荷インターフェース３０を図５示す。当該負荷インターフェース３０は、ダクトレールプラグ３１と、ダクトレールプラグ３１に一体に設けた球状の放熱体３２を備え、放熱体３２にダミー負荷発生回路３３が内蔵されている。また、ダクトレールプラグ３１にはボールジョイント構造を有する多数の連結片３４を連結して構成したソケット支持部材３５が複数本、垂設されている。このソケット支持部材３５の下端部にはＬＥＤ電球３が装着されるソケット３６が取り付けられ、ソケット３６とダクトレールプラグ３１がソケット支持部材３５の内部に挿通したコード（図示略）で電気的に接続されている。
【００２０】
第３実施例に係る負荷インターフェース３０の構造は以上の通りで、図６に示すように、ダクトレールプラグ３１を天井に固設されているダクトレール３７に掛止すると、負荷インターフェース３０が白熱電球用調光器１に接続され、ダミー負荷発生回路３３でダミー負荷が生じるので、調光時にＬＥＤ電球３にちらつきが発生するのを防止できる。ＬＥＤ電球３の照射角度はソケット支持部材３５を撓めて任意の方向に調整できる。
【符号の説明】
【００２１】
１…白熱電球用調光器
２…負荷インターフェース
３…ＬＥＤ電球
４…商用交流電源
１０…負荷インターフェース
１１…口金
１２…放熱体
１３…ダミー負荷発生回路
１４…ソケット
２０…負荷インターフェース
２１…引掛けシーリングローゼットのプラグ
２２…放熱体
２３…ダミー負荷発生回路
３０…負荷インターフェース
３１…ダクトレールプラグ
３２…放熱体
３３…ダミー負荷発生回路
【図１】
0003215767.tif 000003
【図２】
0003215767.tif 000004
【図３】
0003215767.tif 000005
【図４】
0003215767.tif 000006
【図５】
0003215767.tif 000007
【図６】
0003215767.tif 000008
【図７】
0003215767.tif 000009